(57)【要約】      （修正有）【課題】動作電源と撮像した監視映像信号とを同一の媒体を介して伝送し、撮影装置側で電源を取得した後、変換した後に、他の一組の電源を本体に内蔵された赤外線光源に供給する。【解決手段】電源供給およびビデオ映像受信手段はメイン装置側に配置され、撮影装置側に設けられている電源変換およびビデオ映像撮像手段に同軸ケーブルを介して動作電源を供給することで、撮影装置および内蔵されている赤外線装置に電源を供給しており、前記電源変換およびビデオ映像撮像手段はビデオ映像を撮像した後にまた同軸ケーブルを介して電源供給およびビデオ映像受信手段に返送して、電源供給およびビデオ映像受信手段によりビデオ映像と電源とを分離した後に映像を映し出す。線路配置を簡素化できる以外にも、監視撮影装置に内蔵されている赤外線装置の動作電源を供給することも可能となる。【選択図】図１
0003122575.tif 000002
【実用新案登録請求の範囲】
【請求項１】
主に、メイン装置側と撮影装置側とに電源供給およびビデオ映像受信手段と、電源変換およびビデオ映像撮像手段とをそれぞれ設け、撮影装置が少なくとも撮像モジュールと赤外線光源とを備え、さらに電源供給およびビデオ映像受信手段と電源変換およびビデオ映像撮像手段との間は一本の同軸ケーブルで互いに接続されている電源と映像とが同軸で接続される監視システムであって、
前記電源供給およびビデオ映像受信手段は整流回路と、変調回路と、ビデオ映像／電源分離回路とからなり、前記整流回路の入力端子がＤＣ入力電源に接続され、その出力端子が変調回路に接続されており、前記変調回路の出力端子がビデオ映像／電源分離回路に接続され、前記ビデオ映像／電源分離回路は電源出力／ビデオ映像入力端子およびビデオ映像出力端子とを備えており、
前記電源変換およびビデオ映像撮像手段は少なくとも復調回路と、ビデオ映像撮像回路などからなり、前記復調回路は同軸ケーブルに接続されている入力端子と、ＤＣ電源出力端子を構成する出力端子とを備え、ＤＣ電源を撮像モジュールと赤外線光源とに供給しており、前記ビデオ映像撮像回路の入力端子は撮影装置に接続され、その出力端子も同軸ケーブルに接続されていることを特徴とする電源と映像とが同軸で接続される監視システム。
【請求項２】
前記電源変換およびビデオ映像撮像手段における復調回路の出力端子にはフィルタ回路が設けられていることを特徴とする請求項１に記載の電源と映像とが同軸で接続される監視システム。
【請求項３】
前記ビデオ映像／電源分離回路のビデオ映像出力端子はキャパシタを介して電源出力／ビデオ映像入力端子に接続されていることを特徴とする請求項１に記載の電源と映像とが同軸で接続される監視システム。
【考案の詳細な説明】
【技術分野】
【０００１】
本考案は監視システムであって、とりわけ電源と映像とを同一の媒体で伝送する監視システムである。
【背景技術】
【０００２】
保安または管理などの目的に応じて、現在、さまざまな公共の場所、住宅団地、そして道路や路地などに広く監視システムが設置されており、このシステムはあるいは各々の監視範囲の状況をリアルタイムで監視し、あるいは証拠保存として録画可能であり、事故、事件または刑事事件が一旦発生すると証拠の収集に用いることができる。監視システムは用途において監視および証拠保存の特性を備えていることから、理論上は２４時間途絶えることなく録画すべきであるが、もしも犯罪発生率および証拠保存の角度から見た場合、夜間こそが監視システム稼働の重点的な時間帯であるものの、夜間における屋外の光量は少なく、撮像に極めて不利である。撮像を順調に行うために、監視システムに赤外線光源を結合させて、夜間の撮像の利便性を図っている。
【０００３】
従来の監視システムにはビデオ映像と電源とを同一の線路（ｏｎｅ ｃａｂｌｅ）で伝送する設計がある。つまり撮影装置はこの線路を介して動作電源を取得して、撮像したビデオ映像もまた同一の線路を介してメイン装置側に送信される。このようなビデオ映像と電源との同軸の設計を用いれば、撮影装置の電力利用の問題を考慮する必要はなく、しかも線路の配置を簡素化することができる。しかし前述のとおり、夜間撮影用として赤外線光源を内蔵する方式で撮影装置に付加すると、赤外線光源の電源供給の問題も解決しなければならないが、前記のビデオ映像と電源との同軸の伝送設計は、赤外線光源が内蔵されていない監視撮影装置に運用されるものであり、電源の面でも撮影装置の電力利用の問題のみを考慮しているだけである。メイン装置が、赤外線光源を内蔵した一台または複数台の撮影装置に同時に接続したとき、撮影装置に取り付けられている赤外線光源は前記同軸伝送方式では電源を得ることはできず、したがってこの赤外線光源について言えば、電力の確保に関して不具合が生じてしまう。
【考案の開示】
【０００４】
上記から理解できるように、従来の撮影装置では赤外線光源を内蔵して夜間における撮像の利便性を図っているが、メイン装置と赤外線光源内蔵型撮影装置を一対一または一対複数で接続したとき、撮影装置に内蔵した赤外線光源は従来における映像と電源との同軸という技術では必要な動作電源を得ることができないため、よってより踏み込んだ研究、そして実現可能な解決方法の試みが待たれる。
【０００５】
したがって、本考案の主な目的は、動作電源と撮像した監視映像信号とを同一の媒体を介して伝送し、撮影装置側で電源を取得した後、変換した後に、他の一組の電源を本体に内蔵された赤外線光源に供給することで、赤外線光源における電力利用の問題を効果的に解決するとともに、電力供給の問題により線路が複雑化するのを回避し、配線作業を簡素化できる電源と映像とが同軸で接続される監視システムを提供することにある。
【０００６】
前記目的を達成するために採用した主な技術的手段は、監視システムのメイン装置側と撮影装置側とに電源供給およびビデオ映像受信手段と、電源変換およびビデオ映像撮像手段とをそれぞれ設け、前記電源供給およびビデオ映像受信手段と電源変換およびビデオ映像撮像手段との間は一本の同軸ケーブルで互いに接続されており、
前記電源供給およびビデオ映像受信手段は整流回路と、変調回路と、ビデオ映像／電源分離回路とからなり、電源が電源供給およびビデオ映像受信手段に印加されると、整流回路がまずフィルタリングの整流を行い、次に変調回路にて変調した後にビデオ映像／電源分離回路を介して同軸ケーブルに送られ、そして撮影装置側の電源変換およびビデオ映像撮像手段に伝送され、その動作電源が供給される。
【０００７】
前記電源変換およびビデオ映像撮像手段は少なくとも復調回路と、ビデオ映像撮像回路などからなる。このうち、前記復調回路は同軸ケーブルから変調後の電源信号を取得し、復調した後に撮影装置および赤外線光源にそれぞれ電力を供給し、そしてビデオ映像撮像回路の入力端子と撮影装置とが接続され、その出力端子が同軸ケーブルに接続されることで、同軸ケーブルを介してビデオ映像をメイン装置側の電源供給およびビデオ映像受信手段に返送する。前記電源供給およびビデオ映像受信手段はビデオ映像／電源分離回路により前記ビデオ映像を受信するとともに、これを電源から分離してその先に送信するか、または映像を映し出す。
【０００８】
前記した設計を用いることで、メイン装置側と撮影装置側とが同一の同軸ケーブルを介してビデオ映像と電源とを同時に伝送することが可能となり、これによりメイン装置と赤外線光源内蔵型撮影装置とが接続されたときにおける撮影装置に内蔵された赤外線光源における電源供給の問題を解決できる。
【考案を実施するための最良の形態】
【０００９】
本考案のシステムブロック図に関しては、図１を参照されたい。当図は主に、メイン装置（１００）内に少なくとも一つの電源供給およびビデオ映像受信手段（１０）がそれぞれ設けられ、さらに撮影装置（２００）側には電源変換およびビデオ映像撮像手段（２０）が設けられており、前記電源供給およびビデオ映像受信手段（１０）と電源変換およびビデオ映像撮像手段（２０）との間は同軸ケーブルＣにより互いに接続されている。
【００１０】
本実施例においては、前記電源供給およびビデオ映像受信手段（１０）は２７．６ＶのＤＣ電源を変調した後に同軸ケーブルＣに送り、同軸ケーブルＣにより電源変換およびビデオ映像撮像手段（２０）に送り、その動作電源を前記電源変換およびビデオ映像撮像手段（２０）に供給する。
【００１１】
前記電源変換およびビデオ映像撮像手段（２０）は撮影装置側に設けられるとともに、撮影装置内に設けられている撮像モジュール（ＣＣＤ）および赤外線光源（図示しない）に接続されており、前記電源変換およびビデオ映像撮像手段（２０）は同軸ケーブルＣから変調後の電源信号を取得した後に復調するとともに１２ＶのＤＣ電圧源にまで降圧し、そして撮影装置内の撮像モジュール（ＣＣＤ）および赤外線光源にそれぞれ供給する。前記撮像モジュール（ＣＣＤ）が撮像したビデオ映像は同軸ケーブルＣを介して電源供給およびビデオ映像受信手段（１０）に返送され、電源供給およびビデオ映像受信手段（１０）により変換処理を実行した後に、メイン装置側に送られてモニター上に映像が映し出されるか、または蓄積される。
【００１２】
動作電源とビデオ映像とが同一の同軸ケーブルＣで伝送されるため、接続作業における電源供給と配線の問題を効果的に解決することができる。本考案のさらに詳細な具体的な回路構造については以下のとおり詳述する。
【００１３】
まず図２を参照されたい。当図には、メイン装置側に配置されている電源供給およびビデオ映像受信手段（１０）の詳細な回路を開示している。前記電源供給およびビデオ映像受信手段（１０）は一対一の方式で同軸ケーブルを介して撮影装置側における対応する電源変換およびビデオ映像撮像手段（２０）に接続されている。図２、図４中には複数の電源供給およびビデオ映像受信手段（１０）が開示されており、メイン装置は各電源供給およびビデオ映像受信手段（１０）を介して同数の同軸ケーブルにより複数の電源変換およびビデオ映像撮像手段（２０）に接続されており、そして複数の撮影装置内に設けられている撮像モジュール（ＣＣＤ）および赤外線光源に接続されていることを意味している。
【００１４】
各電源供給およびビデオ映像受信手段（１０）の回路構造は同じであるため、その一組のみを取り上げて説明する。
【００１５】
本実施例においては、前記電源供給およびビデオ映像受信手段（１０）は整流回路（１１）と、変調回路（１２）と、ビデオ映像／電源分離回路（１３）とからなる。
【００１６】
前記整流回路（１１）の入力端子は自動復帰ヒューズを介してＤＣ入力電源に接続されており、本実施例では、前記ＤＣ入力電源は２７．６Ｖであり、前記ＤＣ電源信号は整流回路（１１）によりフィルタリングの整流が行われた後、直ちに変調回路（１２）に送られる。
【００１７】
前記変調回路（１２）はＲＣ発振回路で構成され、その出力端子はビデオ映像／電源分離回路（１３）に接続されている。前記ビデオ映像／電源分離回路（１３）は電源出力／ビデオ映像入力端子（１３１）およびビデオ映像出力端子（１３２）を備えており、このうち、前記電源出力／ビデオ映像入力端子（１３１）は同軸ケーブル（図示しない）に接続され、電源信号を同軸ケーブルに送出可能となっており、また同軸ケーブル上でビデオ信号も受信可能であり、前記ビデオ映像出力端子（１３２）はメイン装置に接続され、キャパシタを介して前記電源出力／ビデオ映像入力端子（１３１）に接続されることで、ビデオ信号を電源信号から分離してメイン装置に送る。
【００１８】
また図３を参照されたい。前記電源変換およびビデオ映像撮像手段（２０）の詳細な回路構造を開示しており、主に復調回路（２１）と、フィルタ回路（２２）と、ビデオ映像撮像回路（２３）などからなる。
【００１９】
前記復調回路（２１）の入力端子（２１１）は同軸ケーブルに接続されてＤＣ電源を取得しており、さらに復調回路（２１）の出力端子はフィルタ回路（２２）に接続されている以外にも、またＤＣ電源出力端子（２１２）をも構成しており、これは同軸ケーブル上で２７．６ＶのＤＣ電源を取得して、撮像モジュール（ＣＣＤ）および赤外線光源に供給する動作電源として１２Ｖに変換する。
【００２０】
前記ビデオ映像撮像回路（２３）は入力端子（２３１）と出力端子（２３２）とを備え、前記入力端子（２３１）は撮像モジュール（ＣＣＤ）に接続されることで、撮像モジュール（ＣＣＤ）が送出したビデオ信号を受信し、また出力端子（２３２）も同軸ケーブルに接続されることで、同軸ケーブルを介して電源供給およびビデオ映像受信手段（１０）にビデオ信号を伝送する。
【００２１】
上記から理解できるように、本考案は監視システムのメイン装置側に電源供給およびビデオ映像受信手段をそれぞれ設け、撮影装置側に電源変換およびビデオ映像撮像手段を設けるとともに、同軸ケーブルを介して両者を互いに接続することにより、メイン装置の電源供給およびビデオ映像受信手段が同軸ケーブルを介して撮影装置側の電源変換およびビデオ映像撮像手段にＤＣ電源を伝送し、前記電源変換およびビデオ映像撮像手段はＤＣ電源を取得した後、別の種類の電圧規格であるＤＣ電源に変換して撮影装置における撮像モジュール（ＣＣＤ）および内蔵されている赤外線光源に供給し、撮像モジュール（ＣＣＤ）は動作電源を取得した後、撮像を開始し、その撮影された映像もまた電源変換およびビデオ映像撮像手段に送られ、続いて同軸ケーブルを介して電源供給およびビデオ映像受信手段に送られ、前記電源供給およびビデオ映像受信手段によりビデオ信号が分離されるとともに、メイン装置に伝送されて映像が映し出されるか、蓄積される。このような方式を用いることで、動作電源と、ビデオ信号とは単一の同軸ケーブルのみで相互伝送が可能となり、メイン装置側と撮影装置側との間に一対一または一対複数の接続を採用したときにおける各撮影装置およびそれに内蔵されている電源供給の問題を解決し、これにより電力供給の問題により線路が複雑化するのを回避し、したがって配線作業も効果的に簡素化される。
【００２２】
上記から理解できるように、本考案は突出した技術的特徴と顕著な進歩性を備えているとともに、実用新案の要件に適合することから、ここに法に基づいて実用新案を出願するものである。
【図面の簡単な説明】
【００２３】
【図１】本考案のシステムブロック図である。
【図２】本考案による電源供給およびビデオ映像受信手段の詳細な回路図である。
【図３】本考案による電源変換およびビデオ映像撮像手段の詳細な回路図である。
【図４】本考案によるメイン装置内に複数の電源供給およびビデオ映像受信手段を設けて、複数の撮影装置に対応して接続したシステムブロック図である。
【符号の説明】
【００２４】
１００          メイン装置
１０            電源供給およびビデオ映像受信手段
１１            整流回路
１２            変調回路
１３            ビデオ映像／電源分離回路
１３１          電源出力／ビデオ映像入力端子
１３２          ビデオ映像出力端子
２００          撮影装置
２０            電源変換およびビデオ映像撮像手段
２１            復調回路
２２            フィルタ回路
２３            ビデオ映像撮像回路
２１１          入力端子
２１２          ＤＣ電源出力端子
２３１          入力端子
２３２          出力端子
【図１】
0003122575.tif 000003
【図２】
0003122575.tif 000004
【図３】
0003122575.tif 000005
【図４】
0003122575.tif 000006